(57)【要約】【課題】強風が吹く状況下で使用しても、吹き飛ばされたり破損したりし難く、しかも、それを簡単な構造により低コストにて実現可能な傘を提供する。【解決手段】略二等辺三角形状をなす複数枚のシート片３を接合代１８で互いに接合することにより形成した傘シート２において、互いに隣接する接合代を、共に傘シートの外面側に立ち上げて互いに突き合わせた状態で、非接合部１８ａを介在させて接合し、その非接合部と該非接合部の接合代とにより、傘シートの内面側から外面側へと風を逃がして該傘シートの内面に作用する風圧を緩和するためのスリット１９を形成した。【選択図】図１
2010124883.tif 000002
【特許請求の範囲】
【請求項１】
略三角形状の複数のシート片から成る傘シートと、該傘シートが張設された傘骨とを有していて、
上記傘シートは、互いに隣合うシート片の側縁同士を接合代で互いに接合することにより形成され、
上記傘骨は、基端部に柄を有する軸棒と、該軸棒の先端部に連結されて放射状に延びるとともに、上記傘シートの内面に取り付けられた複数本の親骨とを有しており、
上記傘シートには、放射方向に延びるスリットが開設されていて、
該スリットが、上記傘シートの内面側から作用する風圧により開口して、その外面側への風の通り抜けを許容するように構成されている、
こと特徴とする傘。
【請求項２】
上記スリットが、傘シートの外面側に立ち上げて互いに突き合わせた一対の縁片を含んで形成されていて、
これら一対の縁片が上記傘シートの内面側から作用する風圧により互いに離反して、上記スリットが開口するように構成されている、
ことを特徴とする請求項１に記載の傘。
【請求項３】
上記傘シートが、互いに隣合うシート片の上記接合代を、共に傘シートの外面側に立ち上げて互いに突き合わせた状態で接合することにより形成されていて、
該接合代の一部を非接合部とすることで、該非接合部の接合代により上記スリットの縁片の少なくとも一部が形成されている、
ことを特徴とする請求項２に記載の傘。
【請求項４】
上記スリットが、上記傘シートに対し等角度間隔に開設されている、
ことを特徴とする請求項１〜３の何れかに記載の傘。
【請求項５】
上記親骨が、上記スリットに沿って配されている、
ことを特徴とする請求項１〜４の何れかに記載の傘。
【請求項６】
上記傘骨が、上記親骨の中間部にそれぞれ連結されて該親骨を支持するための複数本の受骨を有していて、
上記スリットが、傘シートにおける、上記親骨に対する受骨の連結点を相互に結んだ円形の領域内に形成されている、
ことを特徴とする請求項１〜５の何れかに記載の傘。
【請求項７】
上記シート片が合成樹脂から成っていて、上記傘シートが互いに隣合う該シート片の接合代を相互に熱溶着して接合することにより形成されている、
ことを特徴とする請求項３に記載の傘。
【請求項８】
上記シート片が布素材から成っていて、上記傘シートが互いに隣合う該シート片の接合代を両面側からバイアステープで挟持すると共に、これらシート片及びバイアステープを相互に縫合して接合することにより形成されている、
ことを特徴とする請求項３に記載の傘。
【請求項９】
上記スリットの各縁片が、上記非接合部における接合代の先端を一体に延長して成る舌片を含んで形成されている、
ことを特徴とする請求項３に記載の傘。
【発明の詳細な説明】
【技術分野】
【０００１】
本発明は、傘に関するものであり、さらに詳しくは、傘シートに作用する風圧を軽減するための風抜け機構を備えた傘に関するものである。
【背景技術】
【０００２】
従来、傘は、傘シートと、直線状に延びる軸棒と、該軸棒の先端側に固着された上ろくろと、軸棒に摺動自在に外嵌された下ろくろと、上記傘布が張設され上記上ろくろから放射状に設けられた複数本の親骨と、該親骨に一端が連結されるとともに他端が下ろくろに連結された複数本の受骨とを備えたものが一般的であり、雨傘、日傘、ビーチパラソル等広い用途に用いられている。このような傘は、上記軸棒に沿って下ろくろを上下にスライドさせると、上記受骨に連結された複数の親骨が開閉され、上記傘シートが展開されたり収縮されたりするように構成されている。
ところで、このような従来の傘においては、例えば、強風が吹く状況下での使用中に風が傘内部に入り込むと、傘シートの内面に作用する風圧によって、該傘が吹き飛ばされたり親骨が反転して破損したりする虞があった。
【０００３】
そこで、特許文献１においては、中棒１の先端周囲に複数の骨６を設け、該骨６に上側生地７を張設するとともに、上記骨６より下側の上記中棒１の周囲にさらに骨９を放射状に設け、該骨９には空気孔１１を有する生地１０が張設された風抜け機構を有する傘Ａが提案されている。そして、この傘によれば、上述したような強風下での使用でも、傘Ａ内部に入り込んだ風を、該傘Ａの上側に設けられた空気孔１１から逃がすことが可能となり、風圧で傘Ａが吹き飛んだり破損したりしないようになっている。
【０００４】
しかしながら、上記特許文献１に記載の傘は、上記空気孔１１を覆う上側生地７を張設するための上側の骨６、空気孔１１が形成された下側生地１０を張設するための下側の骨９、これら骨６，９に連結する受骨１２，１３、また、これら受骨１２，１３に連結し上記中棒１に摺動自在に嵌められたろくろ３、さらに、下側生地１０を補助的に張設するための副ろくろ１４並びに補助受骨１５が必要なために、結果として従来の一般的な傘に比べて部品点数が多くなるとともに構造が複雑化し、製造コストが嵩むという問題点がある。
【特許文献１】特開２０００−１９７５１１号公報
【発明の開示】
【発明が解決しようとする課題】
【０００５】
そこで本発明の課題は、強風が吹く状況下で使用しても、吹き飛ばされたり破損したりし難く、しかも、それを簡単な構造により低コストにて実現可能な傘を提供することにある。
【課題を解決するための手段】
【０００６】
上記課題を解決するため、本発明によれば、略三角形状の複数のシート片から成る傘シートと、該傘シートが張設された傘骨とを有していて、上記傘シートは、互いに隣合うシート片の側縁同士を接合代で互いに接合することにより形成され、上記傘骨は、基端部に柄を有する軸棒と、該軸棒の先端部に連結されて放射状に延びるとともに、上記傘シートの内面に取り付けられた複数本の親骨とを有しており、上記傘シートには、放射方向に延びるスリットが開設されていて、該スリットが、上記傘シートの内面側から作用する風圧により開口して、その外面側への風の通り抜けを許容するように構成されていること特徴とする傘が提供される。
【０００７】
ここで、本発明に係る傘においては、上記スリットが、傘シートの外面側に立ち上げて互いに突き合わせた一対の縁片を含んで形成されていて、これら一対の縁片が上記傘シートの内面側から作用する風圧により互いに離反して、上記スリットが開口するように構成されていることが望ましい。
そして、その好ましい実施形態においては、上記傘シートが、互いに隣合うシート片の上記接合代を、共に傘シートの外面側に立ち上げて互いに突き合わせた状態で接合することにより形成されていて、該接合代の一部を非接合部とすることで、該非接合部の接合代により上記スリットの縁片の少なくとも一部が形成されている。
【０００８】
さらに、本発明に係る傘においては、上記スリットが、上記傘シートに対し等角度間隔に開設されていることが望ましく、また、上記親骨が、上記スリットに沿って配されていることが望ましい。そして、上記傘骨が、上記親骨の中間部にそれぞれ連結されて該親骨を支持するための複数本の受骨を有していて、上記スリットが、傘シートにおける、上記親骨に対する受骨の連結点を相互に結んだ円形の領域内に形成されているとなお望ましい。
なお、本発明の好ましい実施形態においては、上記シート片が合成樹脂から成っていて、上記傘シートが互いに隣合う該シート片の接合代を相互に熱溶着して接合することにより形成されている。また、他の好ましい実施形態においては、シート片が布素材から成っていて、上記傘シートが互いに隣合う該シート片の接合代を両面側からバイアステープで挟持すると共に、これらシート片及びバイアステープを相互に縫合して接合することにより形成されている。ただし、上記スリットが、上記非接合部における各縁片の先端を一体に延長して成る舌片を含んで形成されていても良い。
【発明の効果】
【０００９】
本発明に係る傘によれば、傘シートの内面側に風圧が作用しても、その風をスリットを通じて当該傘シートの外面側へと逃がして、当該風圧を緩和することができる。そのため、強風が吹く状況下での使用中に、風が傘の内側に吹き込んだとしても、傘が吹き飛ばされたり破損したりするのを防止することができる。しかも、それを、放射方向に延びるスリットを傘シートに開設するという簡単な構造により、部品点数の増加を抑制し低コストにて実現することが可能である。
【発明を実施するための最良の形態】
【００１０】
図１〜図５は、本発明に係る傘１の第１の実施形態を示すものである。
この傘１は、ビニール、ポリオレフィン等の合成樹脂製で柔軟性を有する傘シート２と、該傘シート２が張設された金属製の傘骨４とからなっている。
そして、図１に示すように、上記傘骨４は、基端部に柄６が取り付けられた直線状の軸棒５と、該軸棒５の先端部に固着された上ろくろ７と、上記軸棒５に対し、その軸に沿って摺動自在に外嵌された摺動ろくろ８と、上記上ろくろ７から放射状に延びて上記傘シート２が張設された複数本の親骨９と、一端が該親骨９に連結されるとともに他端が上記摺動ろくろ８に連結されて、該各親骨９を支持するための複数本の受骨１０とを有している。
上記軸棒５は、細長い金属製の丸棒であって、上記上ろくろ７は、円盤状に形成され該軸棒５の先端部に貫通固定されている。この上ろくろ７の外周には、上記複数本の親骨９の基端が、それぞれ上記軸棒５の軸に対し回動自在に連結されており、これら親骨９は、上記上ろくろ７の軸を中心として、等角度間隔に放射状に設けられている。なお、本実施形態では上記親骨９の本数は計８本で構成されているが、これに限るものではない。
上記摺動ろくろ８は、上記軸棒５に対し上記上ろくろ７と柄６との間において外嵌されてた第１摺動ろくろ８ａと第２摺動ろくろ８ｂとを有しており、これら２つの摺動ろくろ８ａ，８ｂ間は、上記上ろくろ７側に付勢された圧縮コイルばね１１により連結されている。
【００１１】
上記第１摺動ろくろ８ａの外周には、上記親骨９と同じ本数の受骨１０の一端が、それぞれ上記軸棒５の軸に対し回動自在に連結されている。そして、該受骨１０は、上記親骨の角度位置に対応させて放射状に配されていて、該受骨１０の他端は、該親骨９に対しその長さ方向の中間に位置する連結点Ａにおいて、回動自在に連結されている。
また、上記第２摺動ろくろ８ｂの外周には、上記受骨１０と同じ本数の支持骨１２の一端が、それぞれ上記軸棒５の軸に対し回動自在に連結されている。該支持骨１２は、上記各受骨１０を支持するためのもので、該受骨１０の角度位置に対応させて放射状に配されており、該支持骨１２の他端は、上記受骨１０に対しその長さ方向の中間位置において、回動自在に連結されている。
【００１２】
そして、上記傘１を開くにあたっては、上記摺動ろくろ８が、上記圧縮コイルばね１１の弾発力により上記上ろくろ７側に移動し、それに伴い、支持骨１２及び受骨１０が展開されるとともに、該受骨１０を介して各親骨９も展開されていく。
一方、傘１を閉じるにあたっては、上記圧縮コイルばね１１の弾発力に抗して上記摺動ろくろ８を柄６側に移動させると、それに伴って、支持骨１２及び受骨１０が畳まれるとともに、該受骨１０を介して各親骨９も畳まれていく。
また、上記摺動ろくろ８には、上記第２摺動ろくろ８ｂの下端部に、使用者が把持し該摺動ろくろ８を軸棒５の軸に沿って摺動させるためのスライド部１３が一体に設けられている。そして、該スライド部１３には、後述するハジキ１５に係脱可能で、傘１を窄めた状態において、上記摺動ろくろ８を軸棒５に対し固定するための固定孔１３ａが形成されている。
【００１３】
上記上ろくろ７と摺動ろくろ８との間には、一端が該上ろくろ７に固定されたコイルばね１６を介してストッパ部材１７が配されていて、それぞれ上記軸棒５に対し摺動自在に外嵌されている。そうすることにより、傘１を使用時に開いた際に、上記摺動ろくろ８をストッパ部材１７に当接させて、軸棒５の先端方向への移動を規制すると同時に、当該当接時における衝撃を緩和することができるようになっている。
一方、上記軸棒５における上記摺動ろくろ８と柄６との間には、図示しないばねの弾発力により該軸棒５内に対し出没可能なハジキ１５が突設されていて、このハジキ１５を上記スライド部１３に開設された固定孔１３ａに係合させることにより、傘１を不使用時に窄めた状態に保持することができるようになっている。
なお、上記軸棒５はその先端に石突き５ａを有しており、該石突き５ａと上記上ろくろ７との間に傘シート２の中心が挟持され固定されている。また、上記親骨９の先端には、上記傘シート２の周縁に固定されたキャップ部材２ａが被せられ、それにより、傘シート２の周縁が親骨９の先端に固定されている。
【００１４】
上記傘シート２は、略二等辺三角形状で互いに同形同大に形成された複数枚（本実施形態では８枚）の合成樹脂製のシート片３から成っていて、それらシート片３の頂角を中心で合わせ、互いに隣接するシート片３の側縁同士を接合代１８でそれぞれ接合することにより形成されている。そして、該傘シート２は、その中心を上記上ろくろ７に配して、その内面に対し上記親骨９を先端を含む数カ所で固定して取り付けることにより、上記傘骨４に張設されている。そうすることで、上記傘骨４を展開させて傘１を開いた状態にあっては、図２に示すように、平面視略正多角形状（本実施形態では正八角形）で全体的に逆椀状に湾曲した形状を成すようになっている。
【００１５】
また、上記傘１の傘シート２には、図３〜図５に示すように、その放射方向に延びる複数のスリット１９が開設されている。このスリット１９は、傘シート２の外面側に立ち上げて互いに突き合わせた一対の縁片２０を含んで形成されている。
そして、図４及び図５に示すように、該スリット１９は、通常の使用時には上記縁片２０の内面同士が当接して閉じているが、強風下での使用時に該傘１の内側に風が吹き込んで該傘シート２の内面に風圧が作用した際には該縁片２０が離反して開口し、その風が傘１の外側すなわち傘シート２の外面側へと通り抜けるのを許容するように構成されている。そのため、たとえ傘シート２の内面に風圧が作用しても、その風圧を緩和することができ、傘１が風で煽られて飛ばされたり壊れたりするのを防止することができる。また、上記一対の縁片２０が傘シート２の外面側に突出していて、しかも、寝た状態となり易いため、傘シート２の外面側からの雨風の侵入を阻止することができる。
【００１６】
ここで、上記スリット１９は、図２に示すように、傘シート２に対し等角度間隔に開設されていることが望ましい。そうすることで、傘シート２の内面に作用する風圧を、その周方向において局所的に偏らせることなくバランス良く緩和することができる。
また、該スリット９は、同じく図２に示すように、傘シート２における、上記親骨９と受骨１０との連結点Ａに対応する位置を相互に結んだ円形領域Ｂ内で、該連結点Ａ側に偏寄させて配されていると、風圧を効率的に緩和することができて望ましいが、それに限られることなく、傘シート２の大きさ等に応じて、当該領域Ｂ外に形成したり、その両方に形成したりしても良い。
【００１７】
なお、上記スリット１９における一対の縁片２０の高さｈは互いに同じで約５ｍｍ前後であることが望ましいが、特にそれに限られることなく、互いに高さｈを異ならせても良いし、高さｈも、傘シート２の材質（例えば、柔軟性）等に応じて適宜に設定することが可能である。
また、上記スリット１９の長さすなわち縁片２０の長さｌは、親骨９の長さの約６〜７％（例えば、親骨９が６０ｃｍである場合、約４ｃｍ前後）であることが望ましいが、特にそれに限られることなく、傘シート２の大きさや、開設するスリット９の数等に応じて適宜に設定することが可能である。
【００１８】
さらに具体的に説明すると、上記シート片３においては、その頂角を挟む一対の側縁にそれぞれ上記接合代１８が形成されている。そして、互いに隣接するシート片３における該接合代１８を、共に傘シート２の外面側に立ち上げて互いに突き合わせた状態で、相互に熱溶着で接合することにより、上記傘シート２が形成されている。また、上記親骨９は、該傘シート２の接合された接合代１８に沿うように、該傘シート２の内面に固定されている。
ところで、上記接合代１８は、図３（ａ）に示すように、その一部に溶着されていない所定長さの非接合部１８ａを介在させて、互いに接合されている。また、該非接合部１８ａにおける一対の接合代１８の先端には、それぞれ該接合代１８を一体に延長して成る舌片２１が設けられている。そして、これら非接合部１８ａにおける一対の接合代１８及び舌片２１により、上記スリット１９の一対の縁片２０が形成されている。なお、上記舌片２１は、必ずしも必要ではなく、接合代１８の高さが十分に確保されている場合には、図３（ｂ）に示すように、上記非接合部１８ａにおける一対の接合代１８のみにより、上記スリット１９の一対の縁片２０を形成しても良い。
【００１９】
さらに、本実施形態では、図２に示すように、複数の上記非接合部１８ａすなわちスリット１９がそれぞれ、傘シート２の上記円形領域Ｂにおける上記連結点Ａ側に偏寄した同半径位置において、各親骨９に沿って、放射状かつ等角度間隔にそれぞれ開設されている。ただし、それに限定されることなく、各スリット１９を設ける半径位置や、各親骨９上の接合代１８に設けるスリット１９の数は、傘シート２の大きさ等に応じて適宜設定することが可能である。例えば、スリット１９を設ける半径位置を各親骨９において異ならせても良い。また、親骨９の長さが８０ｃｍを超えるような大型の傘においては、傘シート２における上記円形領域Ｂよりも親骨９の先端側の位置に追加してスリット１９を設けるなど、１本の親骨９に沿って設けるスリットの数を２つ以上にしたりしても良い。さらに、必ずしも全ての親骨９に沿ってスリット１９を設ける必要性もなく、１本おきに設ける等しても良いが、その場合、親骨９の本数は、偶数本であることが望ましい。
【００２０】
このように、上記スリット１９は、シート片３の接合代１８を利用して、親骨９に沿って形成されている。そのため、傘１を開いた傘シート２の拡張状態においては、親骨９によって該傘シート２の放射方向に付与される張力により、上記一対の縁片２０の内面同士をより確実に当接させることができると同時に、これら縁片２０がさらに寝た状態となり易い。また、傘シート２の外面に風圧が作用した場合には、図４に示すように、傘シート２の内面側から親骨９がスリット１９に当接する一方で、内面に風圧が作用した場合には、図５に示すように、親骨９がスリット１９から離間する。
【００２１】
したがって、傘シート２の外面側からの雨風については、傘１の内側への侵入をより確実に阻止することができる同時に、傘１の内側に風が吹き込んだ際には、スリット１９を通じて風を傘１の外側すなわち傘シート２の外面側へと効率的に逃がして、傘シート２の内面に作用する圧力を緩和することができる。さらに、このような作用効果をスリット１９という極めて簡単な構造により実現することができ、しかも、スリット１９を傘シート２に形成するにあたり、縁片２０を形成するために別途の部材を準備する必要性が無くて、従来から使用されている傘の製造設備を、大きな改造を施すことなく利用することができるため、製造コストを抑制することもできる。
【００２２】
次いで、図６及び図７に基づき本発明に係る第２の実施形態について説明する。ただし、ここでは説明の重複を避けるため、上記第１の実施形態と同じ構成部分及びそれに基づく作用効果については、同じ符号を付して詳細な説明を省略する。
本実施形態に係る傘３０は、例えば、日光を遮る日傘或いは大型のビーチパラソル等に利用されるもので、上記第１の実施形態に係る傘１と同様に、傘シート２と傘骨４とから構成されているが、該傘シート２が柔軟性を有する布素材から成っている。該傘シート２は、略二等辺三角形状で互いに同形同大に形成された複数枚の布製シート片３を、互いに縫合により接合することにより形成されている。具体的には、該傘シート２は、図７に示すように、互いに隣接するシート片３における該接合代１８を、共に傘シート２の外面側に立ち上げて互いに突き合わせた状態で、これら一対の接合代１８をバイアステープ３１で両面側から挟持して被覆し、それらを互いに縫合で接合することにより形成されている。
【００２３】
また、上記接合代１８は、図７に示すように、その一部にバイアステープ３１による被覆及び縫合が施されていない所定長さの非接合部１８ａを介在させて、互いに接合されている。そして、該非接合部１８ａにおける一対の接合代１８により、上記スリット１９の一対の縁片２０が形成されている。なお、上記バイアステープを形成する材料としては、布素材、合成樹脂又は皮革など、縫合に適した適宜の材料を使用することが可能である。
【００２４】
以上、本発明に係る傘の実施形態について詳細に説明してきたが、本発明は上記各実施形態に限定されるものではなく、本発明の要旨を逸脱しない範囲において、様々な設計変更が可能である。
例えば、傘シート２及びシート片３を形成する材料については、上述のようなビニール、ポリオレフィン等の合成樹脂や布素材に限定されず、布素材と合成樹脂フィルムとの積層体等であっても良く、傘の用途に応じて適切な材料を採用することができる。また、傘骨４を構成する軸棒５、親骨９及び受骨１０等の各部材についても、金属、合成樹脂を問わず、必要に応じて、ＦＲＰ、カーボン又は木等の様々な材料により形成することが可能である。さらに、上記各実施形態においては、傘骨４として、圧縮コイルばね１１の弾発力を利用して展開される構造を有するものを例示したが、それに限られるものではなく、一般的な手動で開閉される構造を有する傘骨をはじめ各種形態の傘骨を採用することができるのは勿論である。
【図面の簡単な説明】
【００２５】
【図１】本発明の第１実施形態に係る傘を開いた状態を示す部分破断正面図である。
【図２】第１実施形態に係る傘の平面図である。
【図３（ａ）】第１実施形態に係る傘の風抜け機構を構成するスリットの一態様を示す部分拡大図である。
【図３（ｂ）】第１実施形態に係る傘の風抜け機構を構成するスリットの他の態様を示す部分拡大図である。
【図４】傘内部に風圧が作用していない状態における図３（ａ）のＸ−Ｘ断面図である。
【図５】傘内部に風圧が作用した状態における図３（ａ）のＸ−Ｘ断面図である。
【図６】本発明の第２実施形態に係る傘を開いた状態を示す部分正断面図である。
【図７】第２実施形態に係る傘の風抜け機構を構成するスリットの態様を示す部分拡大図である。
【符号の説明】
【００２６】
１，３０    傘
２    傘シート
３    シート片
４    傘骨
５    軸棒
６    柄
７    上ろくろ
８    摺動ろくろ
９    親骨
１０    受骨
１８    接合代
１８ａ    非接合部
１９    スリット
２０    スリットの縁片
２１    舌片
Ａ    親骨と受骨との連結点
Ｂ    傘シートの円形領域
【図１】
2010124883.tif 000003
【図２】
2010124883.tif 000004
【図３（ａ）】
2010124883.tif 000005
【図３（ｂ）】
2010124883.tif 000006
【図４】
2010124883.tif 000007
【図５】
2010124883.tif 000008
【図６】
2010124883.tif 000009
【図７】
2010124883.tif 000010